(57)【要約】【課題】鏡の反射金属層によって静電容量センサの感度が低下することを抑制するとともに、電子機器から発するノイズによって静電容量センサが誤動作することを軽減できるミラー装置を提供する。【解決手段】反射金属層１１を有する鏡１０と、鏡１０の周辺に配置された電気機器（照明器具２０）と、鏡１０の背面側に配置され、電気機器を操作するための静電容量センサ３１を有するセンサユニット３０とを備え、反射金属層１１と電気機器とセンサユニット３０とは、共通の接地電位を有する。【選択図】図２
2017139165.tif 000002
【特許請求の範囲】
【請求項１】
反射金属層を有する鏡と、
前記鏡の周辺に配置された電気機器と、
前記鏡の背面側に配置され、前記電気機器を操作するための静電容量センサを有するセンサユニットとを備え、
前記反射金属層と前記電気機器と前記センサユニットとは、共通の接地電位を有する
ミラー装置。
【請求項２】
前記反射金属層と前記電気機器と前記センサユニットとは、接地電位のグランド線に接続されている
請求項１に記載のミラー装置。
【請求項３】
前記センサユニットは、非接触操作及び接触操作の両方で前記電気機器を操作できる
請求項１又は２に記載のミラー装置。
【請求項４】
前記静電容量センサは、センサ電極と、前記センサ電極の背面側に配置されたグランド電極とを有し、
前記センサ電極は、前記反射金属層に形成された第１開口部と対向する位置に配置されており、
前記グランド電極は、接地されており、
前記グランド電極の一部は、前記鏡を正面視したときに、前記反射金属層とオーバーラップしている
請求項１〜３のいずれか１項に記載のミラー装置。
【請求項５】
前記静電容量センサは、基板を有し、
前記基板の一方の面には、前記センサ電極が形成され、
前記基板の他方の面には、前記センサ電極を駆動するための回路部品が実装されており、
前記グランド電極は、前記基板の一方の面と他方の面との間に配置されている
請求項４に記載のミラー装置。
【請求項６】
前記センサユニットは、前記基板を収納する金属製のセンサ筐体を有し、
前記センサ筐体は、接地されている
請求項５に記載のミラー装置。
【請求項７】
前記電気機器は、前記反射金属層に形成された第２開口部から光を照射できる照明器具であり、前記鏡の背面側に配置されている
請求項１〜６のいずれか１項に記載のミラー装置。
【請求項８】
前記照明器具は、発光モジュールと、前記発光モジュールを収納する金属製の器具筐体とを有し、
前記器具筐体は、接地されている
請求項７に記載のミラー装置。
【請求項９】
前記ミラー装置は、洗面化粧台である
請求項１〜８のいずれか１項に記載のミラー装置。
【発明の詳細な説明】
【技術分野】
【０００１】
本開示は、鏡を有する洗面化粧台等のミラー装置に関する。
【背景技術】
【０００２】
鏡を有するミラー装置として、洗面化粧台やユニットバス等の住宅設備又はミラーキャビネット等が知られている。
【０００３】
従来、この種のミラー装置として、反射金属層を有する鏡と、照明器具や防曇ヒータ等の電気機器と、電気機器を操作するための操作スイッチとを備える洗面化粧台が提案されている（例えば特許文献１）。このようなミラー装置においては、ユーザが操作スイッチに手を近づけることで電気機器のオンオフ等の操作を行うことができる。
【０００４】
操作スイッチとしては、センサ電極によってユーザの手の接近に伴う静電容量の変化を検出することで手が接近したことを検知する静電容量センサを用いたセンサスイッチが知られている。
【先行技術文献】
【特許文献】
【０００５】
【特許文献１】特開２００４−１６４８９３号公報
【発明の概要】
【発明が解決しようとする課題】
【０００６】
しかしながら、上記のような従来のミラー装置では、鏡の反射金属層によって静電容量センサの感度が低下する。つまり、鏡の反射金属層の面積は静電容量センサのセンサ電極の面積よりも１桁以上大きく、静電容量センサにおける静電容量の変化量に対して鏡の反射金属層が持つ寄生容量の方がはるかに大きい。このため、静電容量センサの感度が低下する。
【０００７】
また、鏡に設けられた電子機器から発するノイズによって静電容量センサが誤動作する場合もある。
【０００８】
また、電気機器のオンオフ等の操作を行うためのセンサスイッチとしては、赤外線センサ（人感センサ）を用いるものもあるが、赤外線センサは熱源に反応するので湯や湯気による誤動作の可能性がある。このため、特に洗面化粧台等の水回り設備のセンサスイッチとしては、赤外線センサではなく、静電容量センサが用いられることが多い。
【０００９】
本開示は、このような課題を解決するためになされたものであり、鏡と電気機器と静電容量センサとを備えるミラー装置であって、鏡の反射金属層によって静電容量センサの感度が低下することを抑制するとともに、電子機器から発するノイズによって静電容量センサが誤動作することを軽減できるミラー装置を提供することを目的とする。
【課題を解決するための手段】
【００１０】
上記目的を達成するために、本開示に係るミラー装置の一態様は、反射金属層を有する鏡と、前記鏡の周辺に配置された電気機器と、前記鏡の背面側に配置され、前記電気機器を操作するための静電容量センサを有するセンサユニットとを備え、前記反射金属層と前記電気機器と前記センサユニットとは、共通の接地電位を有する。
【発明の効果】
【００１１】
本開示によれば、鏡の反射金属層によって静電容量センサの感度が低下することを抑制するとともに、電子機器から発するノイズによって静電容量センサが誤動作することを軽減できる。
【図面の簡単な説明】
【００１２】
【図１】実施の形態に係るミラー装置の正面図である。
【図２】実施の形態に係るミラー装置の要部拡大正面図である。
【図３】図２のIII-III線における実施の形態に係るミラー装置の断面図である。
【図４】実施の形態に係るミラー装置のセンサユニットに用いられる静電容量センサの平面図である。
【図５】図４のV-V線における静電容量センサの断面図である。
【図６】静電容量センサによってユーザの手の指を検知する方法を説明するための図である。
【図７】静電容量センサによってユーザの手の指を検知する他の方法を説明するための図である。
【図８】変形例に係るミラー装置の要部拡大正面図である。
【図９】変形例に係る静電容量センサの平面図である。
【図１０】図９のX-X線における静電容量センサの断面図である。
【発明を実施するための形態】
【００１３】
以下、本開示の実施の形態について説明する。なお、以下に説明する実施の形態は、いずれも本開示の好ましい一具体例を示すものである。したがって、以下の実施の形態で示される、数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１４】
各図は、模式図であり、必ずしも厳密に図示されたものではない。したがって、各図において縮尺等は必ずしも一致していない。各図において、実質的に同一の構成に対しては同一の符号を付しており、重複する説明は省略又は簡略化する。
【００１５】
（実施の形態）
実施の形態に係るミラー装置１の構成について、図１〜図５を用いて説明する。図１は、実施の形態に係るミラー装置１の正面図である。図２は、同ミラー装置１の要部拡大正面図である。図３は、図２のIII-III線における断面図である。また、図４は、同ミラー装置１のセンサユニット３０に用いられる静電容量センサ３１の平面図である。図５は、図４のV-V線における同静電容量センサ３１の断面図である。
【００１６】
図１に示すように、ミラー装置１は、例えば洗面化粧台であり、洗面化粧台の前に立つユーザの姿を映すための鏡１０と、洗面台４０と、キャビネット５０とを備える。本実施の形態におけるミラー装置１は、照明付き洗面化粧台であり、さらに、照明器具２０と、照明器具２０を操作するためのセンサユニット３０とを備える。
【００１７】
図２及び図３に示すように、鏡１０は、反射金属層１１と、反射金属層１１の前面側に設けられた透明層１２とを有する。つまり、反射金属層１１は、透明層１２の背面側（裏面側）に設けられている。
【００１８】
反射金属層１１の表面は鏡面となっており、ユーザの姿を映すことができる。反射金属層１１は、銀やアルミニウム等の金属からなる金属膜である。透明層１２は、例えばガラス層であり、反射金属層１１を保護するとともに光を全透過させる機能を有する。反射金属層１１は、例えば透明層１２としてガラス基板を用いて、このガラス基板の表面に銀やアルミニウムを蒸着することで形成することができる。
【００１９】
反射金属層１１には、第１開口部１１ａ及び第２開口部１１ｂが形成されている。第１開口部１１ａは、センサユニット３０に対向する位置に形成されている。また、第２開口部１１ｂは、照明器具２０に対向する位置に形成されている。本実施の形態では、照明器具２０が２つ設けられているので、第２開口部１１ｂも２つ形成されている。なお、鏡１０を正面視したときの第１開口部１１ａ及び第２開口部１１ｂの形状は、センサユニット３０及び照明器具２０の外形に応じた形状とすることができ、例えば矩形状である。
【００２０】
照明器具２０は、電気機器の一例であり、鏡１０の周辺に配置される。本実施の形態において、照明器具２０は、鏡１０の背面側に配置されている。具体的には、照明器具２０は、鏡１０の背面（裏面）に取り付けられている。このため、照明器具２０の照明光を前面側に取り出すために、照明器具２０の前方部分には反射金属層１１が形成されていない。具体的には、反射金属層１１における照明器具２０の前方部分には第２開口部１１ｂが形成されている。これにより、照明器具２０は、第２開口部１１ｂから光を照射できる。つまり、照明器具２０から出射した照明光は、第２開口部１１ｂを介して透明層１２を透過して鏡１０から前方に向けて照射される。
【００２１】
図２及び図３に示すように、照明器具２０は、発光モジュール２１と、発光モジュール２１を収納する器具筐体２２とを有する。
【００２２】
発光モジュール２１は、例えばＬＥＤモジュールであり、白色光を出射する複数の発光素子２１ａと、基板２１ｂとを有する。発光素子２１ａは、例えば、ＬＥＤによって構成されたＬＥＤ素子である。基板２１ｂは、所定のパターンで形成された金属配線を有するプリント回路基板である。
【００２３】
器具筐体２２は、例えば金属製であるが、樹脂製であってもよい。器具筐体２２の鏡１０側には開口部が設けられており、発光モジュール２１から出射する光はこの開口部を介して器具筐体２２の外部に放射される。器具筐体２２の開口部は透光板で覆われていてもよい。なお、図示しないが、器具筐体２２には、発光モジュール２１（発光素子２１ａ）を発光させるための電力を生成する電源回路ユニットが収納されていてもよい。電源回路ユニットで生成された電力は、発光モジュール２１に供給される。これにより、発光モジュール２１が発光する。
【００２４】
また、照明器具２０は、照明光の明るさを制御するための調光機能、及び、照明光の発光色を制御するための調色機能を有していてもよい。照明器具２０を調光したり調色したりすることで、周辺の明るさを調整したりユーザの肌の色見をよくしたりすることができる。
【００２５】
図２及び図３に示すように、センサユニット３０は、ユーザが照明器具２０を操作する際にユーザの操作を検知する。センサユニット３０は、操作スイッチとして機能し、例えば、照明器具２０のオンオフを制御したり照明器具２０の調光及び調色を制御したりすることができる。
【００２６】
センサユニット３０は、鏡１０の背面側に配置される。本実施の形態では、センサユニット３０は、鏡１０の背面に取り付けられている。このため、センサユニット３０の前方部分には反射金属層１１が形成されていない。具体的には、反射金属層１１におけるセンサユニット３０の前方部分には第１開口部１１ａが形成されている。
【００２７】
センサユニット３０は、静電容量センサ３１と、静電容量センサ３１を収納するセンサ筐体３２とを有する。センサ筐体３２は、例えば金属製であるが、樹脂製であってもよい。静電容量センサ３１は、ユーザが照明器具２０を操作するための操作スイッチとして機能する。例えば、ユーザが照明器具２０に対してオンオフ制御を行ったり調光制御又は長色制御を行ったりする際に、静電容量センサ３１はユーザの操作を検知して、照明器具２０に対して操作信号を出力する。
【００２８】
図４及び図５に示すように、静電容量センサ３１は、センサ電極３１ａと、センサ電極３１ａが形成された基板３１ｂとを有する。静電容量センサ３１は、静電容量式の近接センサ（非接触センサ）であり、センサ電極３１ａによって静電容量の変化を検出することでユーザの手の接近を検知する。
【００２９】
センサ電極３１ａは、基板３１ｂの一方の面（前面側の面）に形成されている。また、センサ電極３１ａは、反射金属層１１に形成された第１開口部１１ａと対向する位置に配置されている。つまり、金属は電界を遮蔽する効果があるため、センサ電極３１ａの前面側に反射金属層１１が存在するとセンサ電極３１ａがセンサとして機能しなくなるので、センサ電極３１ａは反射金属層１１には覆われていない。ユーザは、第１開口部１１ａを介してセンサ電極３１ａを視認することができ、照明器具２０のオンオフ制御等を行う際に、センサ電極３１ａをスイッチとして操作する。
【００３０】
センサ電極３１ａは、例えば、銅又は銀等の金属材料によって構成されており、基板３１ｂの一方の面に所定のパターンで形成されている。センサ電極３１ａは、例えば平面視形状が円形のベタ電極であり、本実施の形態では、基板３１ｂの前面側（鏡１０側）の面に２つ形成されている。２つのセンサ電極３１ａは、所定の間隔をあけて形成されている。また、基板３１ｂは、金属配線が形成された配線基板であり、センサ筐体３２に収納されている。
【００３１】
静電容量センサ３１は、さらに、センサ電極３１ａの背面側に配置されたグランド電極３１ｃを有する。グランド電極３１ｃは、基板３１ｂに形成されており、基板３１ｂのセンサ電極３１ａが形成された面よりも背面側に形成されている。グランド電極３１ｃは、接地電位（グランド電位）に設定されている。
【００３２】
本実施の形態では、基板３１ｂとして、絶縁層と配線層との積層構造からなる多層基板を用いており、グランド電極３１ｃは、例えばグランド層であり、多層基板の内層の配線層として形成されている。つまり、グランド電極３１ｃは、多層基板である基板３１ｂのセンサ電極３１ａが形成された面である一方の面と、当該一の面とは反対側の面である他方の面との間に配置されている。グランド電極３１ｃとしては、ベタ膜からなるベタ電極又はメッシュ状のメッシュ電極等を用いることができる。なお、グランド電極３１ｃの形状は、これらに限るものではなく、所定形状にパターン形成されたものを用いることができる。
【００３３】
また、図２及び図３に示すように、グランド電極３１ｃの一部は、鏡１０を正面視したときに、反射金属層１１とオーバーラップしている。図２において、グランド電極３１ｃと反射金属層１１とがオーバーラップしている箇所に斜線のハッチングを施している。図２に示すように、本実施の形態では、第１開口部１１ａの開口全周において、グランド電極３１ｃは、反射金属層１１とオーバーラップしている。具体的には、グランド電極３１ｃは、第１開口部１１ａの全領域を覆うように、第１開口部１１ａの開口全周からはみ出す形で形成されている。
【００３４】
なお、基板３１ｂの他方の面には、センサ電極３１ａを駆動するための複数の回路部品３１ｄ及びコネクタ等が実装されている。複数の回路部品３１ｄは、センサ回路を構成し、検知対象がセンサ電極３１ａに接近したことによる静電容量の変化を検出する。なお、回路部品３１ｄの前方側にはグランド電極３１ｃが形成されているので、回路部品３１ｄから発生するノイズは、グランド電極３１ｃによって遮蔽することができる。つまり、グランド電極３１ｃは、シールド層として機能する。また、基板３１ｂには、特定電位が印加されたバイアス電極（バイアス層）が別途形成されていてもよい。
【００３５】
ここで、静電容量センサ３１によってユーザの手の指を検知する方法について、図６を用いて説明する。図６は、静電容量センサ３１によってユーザの手の指を検知する方法を説明するための図である。
【００３６】
図４に示すように、本実施の形態では、静電容量センサ３１は２つのセンサ電極３１ａを有しており、この２つのセンサ電極３１ａによってユーザの手が近づいたことを検知することができる。
【００３７】
具体的には、図６に示すようにユーザが照明器具２０のオンオフ制御や調光制御等を行う場合、ユーザは、２つのセンサ電極３１ａの一方の電極の上から他方の電極の上に指先を水平方向に移動させればよい。
【００３８】
このとき、２つのセンサ電極３１ａの各々については、センサ電極３１ａにユーザの指先が近づくと、センサ電極３１ａと指との間の静電容量（容量値）が増大し、ユーザの指先が遠ざかると、センサ電極３１ａと指との間の静電容量（容量値）が減少する。
【００３９】
したがって、静電容量センサ３１は、ユーザの指先が２つのセンサ電極３１ａの一方の電極の上から他方の電極の上に動いたことで変化する静電容量（容量値）を２つのセンサ電極３１ａで検出することで、ユーザの指の接近を電気的に検知することができる。なお、容量値の変化は、例えば数ｐＦである。
【００４０】
静電容量センサ３１は、ユーザの指先が接近したことを検知すると検知信号を生成し、生成した検知信号を照明器具２０に出力する。これにより、ユーザは照明器具２０のオンオフ制御等を行うことができる。
【００４１】
また、本実施の形態では、２つのセンサ電極３１ａを用いてユーザの手が近づいたことを検知したが、図７に示すように、１つのセンサ電極３１ａによってユーザの手が近づいたことを検知するように構成されていてもよい。この場合、例えばユーザが指先を静電容量センサ３１に接近させたり遠ざけたりする動作を行うことで、静電容量センサ３１がユーザの指先が接近したことを検知することができる。
【００４２】
具体的には、ユーザが照明器具２０のオンオフ制御等を行う場合、図７に示すように、ユーザは、静電容量センサ３１に指先を近づけて速やかに引くことで、静電容量センサ３１は、ユーザの指先が接近したことを検知することができる。この場合、静電容量センサ３１は、ユーザの指先が１つのセンサ電極３１ａに接近させたり遠ざけたりするときにおいてセンサ電極３１ａとユーザの指先との間に生じる静電容量（容量値）の変化を検出して、ユーザの指先が接近したことを検知して検知信号を生成する。これにより、照明器具２０のオンオフ制御等を行うことができる。
【００４３】
なお、図７に示す検知方法の場合、例えば、２つのセンサ電極３１ａの一方をオンオフ制御の操作スイッチとして用いて、２つのセンサ電極３１ａの他方を調光制御の操作スイッチとして用いることができる。
【００４４】
また、静電容量センサ３１は、検知対象（ユーザの手等）が近接した場合に限らず、検知対象が接触した場合にも検知対象を検知することができる。つまり、静電容量センサ３１は非接触又は接触によってセンサ感度を得ることができ、センサユニット３０は、非接触操作及び接触操作の両方で照明器具２０を操作することができる。
【００４５】
このように構成されるミラー装置１では、図２及び図３に示すように、鏡１０の反射金属層１１と照明器具２０とセンサユニット３０とが、接地電位のグランド線６０に接続されている。これにより、反射金属層１１と照明器具２０とセンサユニット３０とが共通の接地電位を有する。グランド線６０は、アース接続されることで接地電位に設定されている。
【００４６】
具体的には、照明器具２０では、発光モジュール２１の基板２１ｂ（回路基板）にグランド線６０が接続されている。これにより、基板２１ｂが接地されている。このように、照明器具２０では、基板２１ｂが接地されることで接地電位を有する構成となっている。
【００４７】
また、センサユニット３０では、静電容量センサ３１の基板３１ｂのグランド電極３１ｃにグランド線６０が接続されている。このように、センサユニット３０では、グランド電極３１ｃが接地されることで接地電位を有する構成となっている。
【００４８】
以上、本実施の形態に係るミラー装置１によれば、反射金属層１１を有する鏡１０と、鏡１０の周辺に配置された照明器具２０と、鏡１０の背面側に配置され、照明器具２０を操作するための静電容量センサ３１を有するセンサユニット３０とを備え、反射金属層１１と照明器具２０とセンサユニット３０とは、共通の接地電位を有する。つまり、鏡１０と照明器具２０とセンサユニット３０とを共通接地化している。
【００４９】
この構成により、静電容量センサ３１のセンサ電極３１ａ周辺の部材（鏡１０の反射金属層１１、回路部品３１ｄが構成するセンサ回路、照明器具２０）が接地されるので、静電容量センサ３１が電気的に独立する。この結果、静電容量センサ３１に対する鏡１０の持つ寄生容量の影響が小さくなるので、静電容量センサ３１のセンサ感度が低下することを抑制できる。つまり、静電容量センサ３１のセンサ感度が高まる。
【００５０】
また、照明器具２０から発するノイズ及び外来ノイズも遮蔽することができるので、静電容量センサ３１が誤動作することも抑制できる。
【００５１】
このように、本実施の形態に係るミラー装置１によれば、鏡１０と照明器具２０とセンサユニット３０とを共通接地化することで、鏡１０の反射金属層１１によって静電容量センサ３１の感度が低下することを抑制するとともに、電気機器である照明器具２０から発するノイズによって静電容量センサ３１が誤動作することを軽減できる。
【００５２】
しかも、鏡１０と照明器具２０とセンサユニット３０とを共通接地化することで、鏡１０だけではなく照明器具２０及びセンサユニット３０も接地電位を有することになる。これにより、湿度が高くて鏡１０が結露した場合又は鏡１０の表面に水滴が付着した場合であってもユーザが感電してしまうことを防止できる。したがって、ユーザは安全にミラー装置１を使用することができる。
【００５３】
また、本実施の形態に係るミラー装置１では、反射金属層１１と照明器具２０とセンサユニット３０とは、接地電位のグランド線６０に接続されている。
【００５４】
このようにグランド線６０を用いることで、反射金属層１１と照明器具２０とセンサユニット３０とを容易に共通の接地電位を有するように構成することができる。
【００５５】
また、本実施の形態において、センサユニット３０は、非接触操作及び接触操作の両方で照明器具２０を操作することができる。
【００５６】
これにより、センサユニット３０の操作の自由度が向上するので、ユーザの利便性が向上する。
【００５７】
また、本実施の形態において、静電容量センサ３１は、センサ電極３１ａと、センサ電極３１ａの背面側に配置されたグランド電極３１ｃとを有し、センサ電極３１ａは、反射金属層１１に形成された第１開口部１１ａと対向する位置に配置されており、グランド電極３１ｃは、接地されている。そして、グランド電極３１ｃの一部は、鏡１０を正面視したときに、反射金属層１１とオーバーラップしている。
【００５８】
これにより、第１開口部１１ａがグランド電極３１ｃで覆われるので、鏡１０の前面又は背面からの外来ノイズを遮蔽することができる。この結果、静電容量センサ３１の周辺領域におけるノイズの回り込みが無くなるので、静電容量センサ３１の誤動作を一層抑制することができるとともに、静電容量センサ３１のセンサ感度を一層高めることができる。 なお、第１開口部１１ａをグランド電極３１ｃで完全に覆うことによって、鏡１０の前面又は背面からの外来ノイズを完全に遮蔽することができる。 
【００５９】
また、本実施の形態において、静電容量センサ３１は、基板３１ｂを有し、基板３１ｂの一方の面にはセンサ電極３１ａが形成され、基板３１ｂの他方の面にはセンサ電極３１ａを駆動するための回路部品３１ｄが実装されている。そして、グランド電極３１ｃは、基板３１ｂの一方の面と他方の面との間に配置されている。
【００６０】
これにより、センサ電極３１ａを電気的に独立にすることができるので、静電容量センサ３１のセンサ感度を高めることができる。
【００６１】
また、本実施の形態では、鏡１０の背面側に配置された電気機器として、反射金属層１１に形成された第２開口部１１ｂから光を照射できる照明器具２０を用いている。
【００６２】
これにより、ユーザは、鏡１０を利用する際に静電容量センサ３１（操作スイッチ）を操作することで、照明器具２０を利用することができる。
【００６３】
また、図８に示すように、センサユニット３０における金属製のセンサ筐体３２も接地されていてもよい。
【００６４】
このように、センサ筐体３２についても共通の接地電位とすることで、外来ノイズが静電容量センサ３１に影響を及ぼすことを抑制できる。しかも、静電容量センサ３１のセンサ回路（回路部品）自身から発生する電気的ノイズがセンサ筐体３２で封止される。これにより、静電容量センサ３１の誤動作を抑制することができる。また、静電容量センサ３１のセンサー感度が高まる。 
【００６５】
この場合、図８に示すように、さらに、照明器具２０（電気機器）における金属製の器具筐体２２も接地されていてもよい。
【００６６】
これにより、照明器具２０で発生する電気的ノイズが機器筐体２２で封止されるので、照明器具２０で発生するノイズによって静電容量センサ３１が影響を受けることを抑制できる。これにより、静電容量センサ３１の誤動作を一層抑制することができるとともに、静電容量センサ３１のセンサー感度が一層高まる。また、器具筐体２２を接地することで、外来ノイズが照明器具２０に影響を及ぼすことも抑制できる。
【００６７】
（変形例等）
以上、本発明に係るミラー装置について、実施の形態に基づいて説明したが、本発明は、上記実施の形態に限定されるものではない。
【００６８】
例えば、図９及び図１０に示すように、静電容量センサ３１Ａとして、センサ電極３１ａの周囲にグランド電極３１ｅが形成されたものを用いてもよい。図９は、変形例に係る静電容量センサ３１Ａの平面図であり、図１０は、図９のＸ-Ｘ線における同静電容量センサ３１Ａの断面図である。図９及び図１０に示される静電容量センサ３１Ａは、図４及び図５に示される静電容量センサ３１に対して、さらにグランド電極３１ｅを形成した構成である。グランド電極３１ｅは、接地電位（グランド電位）に設定されている。グランド電極３１ｅは、基板３１ｂのセンサ電極３１ａが形成された面に形成されている。つまり、グランド電極３１ｅは、センサ電極３１ａと同層である。このように、センサ電極３１ａの周囲にグランド電極３１ｅを形成することで、センサ感度を一層向上させることができる。
【００６９】
また、図２及び図３に示される上記実施の形態における鏡１０の構成では、透明層１２越しに照明器具２０が露わになる。このため、照明器具２０がユーザによって視認できないようにするために、鏡１０をマジックミラーとしてもよい。これにより、照明器具２０の前方に第２開口部１１ｂが形成されていない反射金属層１１を得ることができる。この場合、反射金属層１１として、例えば、金属をハーフ蒸着したものを用いることができる。また、この場合であっても、静電容量センサ３１は、静電容量の変化を検出する必要があるため、反射金属層１１におけるセンサユニット３０の前方には第１開口部１１ａを形成するとよいが、センサユニット３０の前方に導電性のないスズを蒸着したハーフミラーフィルムを用いることで電界遮蔽のないミラー面が得られるので、開口部のない鏡を実現できる。
【００７０】
また、上記実施の形態において、静電容量センサ３１は、非接触式の非接触センサであったが、これに限るものではなく、静電容量センサ３１は、接触式の接触センサであってもよい。ただし、接触センサを用いると、鏡１０の表面に触れて汚したくないというユーザの意識が働くことから、ユーザ利用の観点からは、静電容量センサ３１としては非接触センサを用いる方がよい。
【００７１】
また、上記実施の形態において、静電容量センサ３１には２つのセンサ電極３１ａが設けられていたが、センサ電極３１ａの個数は、これに限るものではなく、１つであってもよいし、３つ以上であってもよい。センサ電極３１ａの個数は、検知方法（図６、図７）及び照明器具２０の制御機能（オンオフ、調光、調色等）に応じて適宜決定することができる。
【００７２】
また、上記実施の形態において、照明器具２０は、発光素子２１ａとしてＬＥＤ素子を用いたＬＥＤ照明としたが、これに限るものではない。例えば、照明器具２０としては、既存の蛍光灯等を用いたものであってもよい。
【００７３】
また、上記実施の形態において、ミラー装置１に設置する電気機器として照明器具２０を例示したが、これに限るものではない。例えば、ミラー装置１に設置される電気機器としては、鏡１０の透明層１２（ガラス層）の曇りを防止するための防曇ヒータ、画像を表示するディスプレイ、又は、時計等であってもよい。
【００７４】
また、上記実施の形態において、ミラー装置１は、洗面化粧台であったが、これに限るものではない。ミラー装置１は、ユニットバス等の他の住宅設備であってもよいし、ミラーキャビネット等であってもよい。ミラー装置１としては、鏡と電気機器を備える任意の機器に適用することができる。
【００７５】
その他、上記実施の形態に対して当業者が思いつく各種変形を施して得られる形態、又は、本発明の趣旨を逸脱しない範囲で上記実施の形態における構成要素及び機能を任意に組み合わせることで実現される形態も本発明に含まれる。
【産業上の利用可能性】
【００７６】
本開示は、ユーザが電気機器の操作を行うための静電容量センサを用いた洗面化粧台等の鏡を有するミラー装置等として利用することができる。
【符号の説明】
【００７７】
１  ミラー装置
１０  鏡
１１  反射金属層
１１ａ  第１開口部
１１ｂ  第２開口部
２０  照明器具
２１  発光モジュール
２１ａ  発光素子
２１ｂ  基板
２２  器具筐体
３０  センサユニット
３１、３１Ａ  静電容量センサ
３１ａ  センサ電極
３１ｂ  基板
３１ｃ、３１ｅ  グランド電極
３１ｄ  回路部品
３２  センサ筐体
４０  洗面台
５０  キャビネット
６０  グランド線
【図１】
2017139165.tif 000003
【図２】
2017139165.tif 000004
【図３】
2017139165.tif 000005
【図４】
2017139165.tif 000006
【図５】
2017139165.tif 000007
【図６】
2017139165.tif 000008
【図７】
2017139165.tif 000009
【図８】
2017139165.tif 000010
【図９】
2017139165.tif 000011
【図１０】
2017139165.tif 000012